(57)【要約】【課題】自己アピール動画などに、個人情報保護対策を施すための、動画の加工・再生処理システム及びそれを用いた一次面接用自己アピール動画の加工・再生処理システム並びに会員募集用自己アピール動画の加工・再生処理システムを提供する。【解決手段】  話ぶりと身振りからなる自己アピール動画の顔画像部位に、曇り処理又はモザイク処理を施した動画を作成し、その動画を格納し、その動画の再生時には、顔の全体像と表情が、人間の眼の残像現象により、ある程度の画像品質で見えるようにすることを目的とした動画の加工・再生処理システム及びそれを用いた一次面接用自己アピール動画の加工・再生処理システム並びに会員募集用自己アピール動画の加工・再生処理システム。【選択図】図１
2013232854.tif 000002
【特許請求の範囲】
【請求項１】
話ぶりと身振りからなる自己アピール動画の顔画像部位に、曇り処理又はモザイク処理を施した動画を作成し、その動画の再生時には、顔の全体像と表情が、人間の眼の残像現象により、ある程度の画像品質で見えるようにすることを目的とした動画の加工・再生処理システム。
【請求項２】
動画の撮影を1秒間にｎコマで撮影し、ｎコマ単位での顔画像部位を１／ｎに分割し、ｎコマ単位のうちの１／ｎの部分に各々ひとつずつ、又は複数のコマに曇り処理又はモザイク処理を施し、ｎコマ単位全体を集めると顔画像部位に曇り処理又はモザイク処理が無い状態とし、1秒間にｎコマで生成を行う請求項１に記載した動画の加工・再生処理システム。
【請求項３】
顔画像部位の曇り処理又はモザイク処理は、1秒間にｎコマで撮影するとき、１コマ撮影すると同時に、撮影したコマに１／ｎの部分に曇り処理又はモザイク処理を行い、撮影時間順にｎコマを再生する請求項２に記載した動画の加工・再生処理システム。
【請求項４】
顔画像部位について予め曇り処理又はモザイク処理をすべき１／ｎについて、ランダムに順番を決めておき、ｎコマでひととおりすべての曇り処理又はモザイク処理が完成するようにセットし、撮影コマの順番に予め決めたランダムの順番に曇り処理又はモザイク処理を行い、撮影時間順に再生を行うか、若しくは、撮影したｎコマをひとまとめにして、ランダムに取り出した１コマについて顔の１／ｎに曇り処理又はモザイク処理をｎコマについて行い、再びｎコマを撮影時間順に並び替え、再生する請求項２に記載した自己アピール動画などの加工・再生処理システム。
【請求項５】
ｎが８〜３６である請求項２〜請求項４のいずれかに記載した動画の加工・再生処理システム。
【請求項６】
請求項１ないし請求項５のいずれかに記載した自己アピール動画を求職の一次面接用に用いる一次面接用自己アピール動画の加工・再生処理システム。
【請求項７】
請求項１ないし請求項４のいずれかに記載した自己アピール動画をネット上での会員募集に用いる会員募集用自己アピール動画の加工・再生処理システム。
【発明の詳細な説明】
【技術分野】
【０００１】
本発明は、動画映像の加工・再生処理システムであるが、特に、個人情報保護対応した動画映像の加工・再生処理システムに関するものである。
【背景技術】
【０００２】
近年、従来の就職情報誌に代わって、ネットワーク上での求職情報提供システムや、企業のホームページでの求人掲出が実用化されてきている。求職者であるユーザーは、それらのサーバに掲出されている求人情報にアクセスして、登録したり、応募したりする。
【０００３】
特許文献１では、応募者のプライバシーに配慮しつつ、自己アピールができることで、希望と合致した相手を見つけることができる仲介支援装置および仲介支援プログラムを提供する。サーバは、仲介支援サイトを提供するものである。サーバは、求職者が求職に関する自己アピールのために、自身を撮像した応募動画ファイルと、この応募動画ファイルについて加工が施された動画である保護動画ファイルとが記憶手段に格納されている。企業の採用担当者は、保護動画ファイルがサムネイルとして表示された一覧ページを参照することで、再生する動画を選択することができる。サムネイルが選択されると再生ページが表示され、選択したサムネイルに対応する保護動画ファイルが再生される。採用担当者は、加工が施されていない応募動画ファイルの閲覧を希望している旨の通知を応募者に送信して許可を得ることで、素顔や元の声色の動画を見ることができる、点が記載されている。
【０００４】
保護動画では、主として顔の部分を曇り処理又はモザイク処理を施しており、顔はほとんど見ることができないのが常識であった。そのため、原動画を見るには、応募者に許可を得てから、原動画を再生し、はじめて素顔や元の声色の動画を見ることができるという制約があった。
【先行技術文献】
【特許文献】
【０００５】
【特許文献１】特開２０１２−３２８７４号公報
【発明の概要】
【発明が解決しようとする課題】
【０００６】
本発明では、例えば、求職者が一次面談に代わる応募資料として、自身の動画を、応募する会社や仲介会社などに提出する際に、動画のコマ毎には人物の顔が、モザイクか、曇り処理されているが、動画を再生すると、人間の眼の残像現象を利用して、人物の顔の全容がある程度の画像品質で見える動画を提供するための動画の加工・再生処理システムである。
【０００７】
顔の全容が人間の眼の残像現象を利用して、ある程度の画像品質で見える動画を提供する狙いは、個人情報保護にある。例えば、本件発明で処理した動画の画面を写真にとっても、顔のどこかが常に曇り処理又はモザイク処理されている写真しか撮れないことにより、画面の写真撮影からは、個人の顔という個人情報を、ある程度の高いレベルで保護することができる。
【課題を解決するための手段】
【０００８】
すなわち、本発明は、話ぶりと身振りからなる自己アピールなどの動画の顔画像部位に、曇り処理、又はモザイク処理を施した画像とし、この動画の再生時には、人間の眼の残像現象を利用して、顔の全体像と表情がある程度の画像品質で見えるようにする動画の加工・再生処理システムである。
本発明の動画の加工・再生処理方法の一例として、動画の撮影を1秒間にｎコマで撮影し、ｎコマ単位での顔画像部位を１／ｎに分割し、ｎコマ単位のうちの１／ｎの部分に各々ひとつずつ、又は複数コマに曇り処理又はモザイク処理を施し、ｎコマ単位全体を集めると顔画像部位に曇り処理又はモザイク処理が無い状態とし、当該1秒間にｎコマで再生を行うことができる。
さらに、本発明においては、曇り処理又はモザイク処理は、1秒間にｎコマで撮影するとき、１コマ撮影すると同時に、撮影したコマに１／ｎの部分に曇り処理又はモザイク処理を行い、撮影時間順にｎコマを再生することができる。
またさらに、本発明においては、顔画像部位について、予め曇り処理又はモザイク処理をすべき１／ｎについて、ランダムに順番を決めておき、ｎコマでひととおりすべての曇り処理又はモザイク処理が完成するようにセットし、撮影コマの順番に予め決めたランダムの順番に曇り処理又はモザイク処理を行い撮影時間順に再生を行うか、若しくは、撮影したｎコマをひとまとめにして、ランダムに取り出した１コマについて顔の１／ｎに曇り処理又はモザイク処理をｎコマについて行い、再びｎコマを撮影時間順に並び替え、再生することができる。
本発明の動画の加工・再生処理システムでは、１／ｎの部分に各々ひとつずつ、又は複数に施す曇り処理又はモザイク処理のｎコマを、ランダムに組み替えて１秒間の動画を作成することができる。
また、本発明の動画の加工・再生処理システムにおいては、ｎを８〜３６などとすることができる。
さらに本発明は、本発明のシステムで加工した自己アピール動画を、求職の一次面接用に用いることができる。
また、本発明は、本発明のシステムで加工した自己アピール動画をネット上での会員募集などにも用いることができる。
【発明の効果】
【０００９】
本発明の動画の加工・再生処理システムは、従来の曇り処理、又はモザイク処理を施した顔ではなく、ある程度の画像品質ではあるが、人間の眼の残像現象を利用して、顔の全体像と表情を見ることができるため、臨場感があり、人物を判断するうえで貴重な参考資料となり、会社の求人採用の一次選考（一次面接を含む）や、各種の会員募集などの選考に利用することも可能である。
【図面の簡単な説明】
【００１０】
【図１】1秒間８コマで撮影した顔画像について１コマ撮影すると同時に、撮影したコマに１／ｎの部分に曇り処理又はモザイク処理を行う例。
【発明を実施するための形態】
【００１１】
本発明の自己アピールなどの動画の加工・再生処理システムにおいては、話ぶりや身振りからなる動画を、曇り処理又はモザイク処理をして、人間の眼の残像現象を利用してある程度の画像品質で、顔の全体像と表情が見えるように再生を行うが、動画を再生するに際し、コマを抜いたり、コマの送り速度の調節等により、顔の全体像と表情を鮮明化したり不鮮明化したりすることができる。
【００１２】
本発明の自己アピールなどの動画の加工・再生処理システムにおいては、例えば一例を挙げると、動画の撮影を1秒間にｎコマで撮影し、ｎコマ単位での顔画像部位を１／ｎに分割し、ｎコマ単位のうちの１／ｎの部分に各々ひとつずつ、又は複数のコマに曇り処理又はモザイク処理を施し、ｎコマ単位全体を集めると顔画像部位に曇り処理又はモザイク処理が無い状態とし、当該1秒間にｎコマで撮影時間の順番で再生を行うことができる。
【００１３】
この時、撮影を1秒間にｎコマで撮影するとき、ｎの数を大きくするほど、顔全体像の見えている部分が多くなり、ｎの数が少ないほど顔全体像の見えている部分が少なくなる。
通常は、ｎは8から36程度で撮影し、8から36程度で再生を行うのが人間の眼の残像現象として全体像が残る上で好ましい。
発明の動画の加工・再生処理システムでは、曇り処理又はモザイク処理は、1秒間にｎコマで撮影するとき、１コマ撮影すると同時に、撮影したコマに１／ｎの部分に曇り処理又はモザイク処理を行っても良いし、顔画像部位について、予め曇り処理又はモザイク処理をすべき１／ｎについて、ランダムに順番を決めておき、ｎコマでひととおりすべての曇り処理又はモザイク処理が完成するようにセットし、撮影コマの順番に予め決めたランダムの順番に曇り処理又はモザイク処理を行い、撮影時間順に再生を行うか、若しくは、ｎコマをひとまとめにして、ランダムに取り出した１コマについて顔の１／ｎに曇り処理コマ又はモザイク処理をｎコマ行い、再びｎコマを撮影時間順に並び替え、再生するのも良い。このようにすることにより、顔画像は常にかろうじて見える程度であるが、顔以外の部分については明瞭な動画で見ることが出来る。
【００１４】
さらに本発明の自己アピールなどの動画の加工・再生処理システムでは、１／ｎの部分に各々ひとつずつ、又は複数のコマに施す曇り処理又はモザイク処理のｎコマを、ランダムに組み替えて１秒間の動画を再生することもできる。
図１に示すように、例えば、１秒間８コマで撮影した顔画像部位を８等分し、１／８〜８／８の８コマについて、それぞれ１コマについて顔画像部位の１／８について曇り処理又はモザイク処理を施す。
【００１５】
また、本発明の自己アピールなどの動画の加工・再生処理システムにおいては、1秒間にｎコマで撮影し、1秒間に１／ｎコマで再生することもできる。逆に、1秒間に１／ｎコマで撮影し、1秒間にｎコマで再生することもできる。
再生時には、例えば1秒間に８コマの場合、順次曇り処理又はモザイク処理された８コマを１／８〜８／８で順次再生する。また、曇り処理又はモザイク処理については、顔画像部位について、予め曇り処理又はモザイク処理をすべき１／８について、ランダムに順番を決めておき、８コマでひととおりすべての曇り処理又はモザイク処理が完成するようにセットし、撮影コマの順番に予め決めたランダムの順番に曇り処理又はモザイク処理を行い、撮影時間順に再生を行うか、若しくは、１秒間を構成するコマをランダムに選んで８コマをセットし、例えば２／８，１／８，５／８，３／８，４／８，７／８，６／８，８／８の順に並べ直し各々のコマに曇り処理又はモザイク処理を１／８づつを順次施し、それを１／８〜８／８に再度順番に並べ直し、１秒間８コマで再生しても良い。ｎコマを、ランダムに組み替えて曇り処理又はモザイク処理を行った場合も、撮影時間の順番に並べ直し、再生することにより、曇り処理又はモザイク処理を施した顔を除いて、動作ははっきりと再現することが出来る。
【００１６】
さらに本発明による、自己アピールなどの画像の加工・再生処理システムで処理した動画は、求職（求人）の一次面接に代わる用途に用いることもできる。
すなわち、予め応募者が、本発明で用いる曇り処理又はモザイク処理を施した動画、又は同処理を施すことを了解した自己アピール動画を、就職サイト、又は企業の採用担当者に送り、就職サイト、又は企業の採用担当者はこれを格納し、企業の採用担当者が格納された動画にアクセスし、その動画を再生（動画閲覧）することにより、旧来の対面での一次面接を省略することができる。
一次選考及び一時面接に代わる動画閲覧の合格、不合格については、別途、就職サイトを通じて、若しくは直接本人に通知するようにする。
【００１７】
曇り処理又はモザイク処理を施した自己アピール動画は、応募者がツールを使って、自分で作成することもできるが、応募者が動画の原画を就職サイトに送り、就職サイト側がツールを使って作成してもよい。
【００１８】
現在の企業が行う一時選考（一次面接を含む）は、応募者も人事担当者も手間隙のムダが多くあり、本発明の自己アピール動画の加工・再生処理システムは、人事担当者が一次面接の準備をする手間や、応募者が応募要領を見て一次面接の準備や、一次面接のための会社訪問をする手間隙を省くことができる。
【００１９】
また、本発明は、自己アピール動画をネット上での会員募集などに用いることができる。
ネットで会員募集をする際には、就職活動と同じく一次面接で人物を確かめておきたいケースが多々ある。会員募集サイトに予め応募者が了解した本発明で用いる曇り処理又はモザイク処理を施した自己アピール動画を送り、会員募集サイトは曇り処理又はモザイク処理を施した自己アピール動画を格納し、必要に応じて会の責任者がこれを再生し、合格、不合格の判断をし、その結果を本人に知らせる。
【００２０】
さらに、本発明の自己アピール動画などの加工・再生処理システムでは、音声を変えることも可能である。ただし、動画や音声をかえると、第一印象がすごく悪くなってしまうのが通例であるので、場合によって採用すべきである。
【符号の説明】
【００２１】
１  顔画像部位
２  曇り処理又はモザイク処理
【図１】
2013232854.tif 000003